(57)【特許請求の範囲】
【請求項１】
公定水分率６％以下の合成繊維マルチフィラメント糸条を主体にして構成され、ＪＩＳ Ｌ １０１８に基づく編地の恒長式番手表示におけるカバーファクター値が９〜１４であり、かつ破裂強度が３００ｋｐａ以上の天竺組織の丸編地からなることを特徴とする植裁基盤形成体用側地。
【請求項２】
請求項１に記載の植裁基盤形成体用側地に培養物が充填されたことを特徴とする植裁基盤形成体。
【請求項３】
請求項１に記載の植裁基盤形成体用側地に培養物を充填し、ビルの屋上、アスファルト路面脇、またはその他平面上に設置して、植物を育成させるための植裁基盤体を形成し、該形成体の長さ方向の上部表面部の編目ループの間隙を通して所望する植物を植え付けることを特徴とする植裁の形成方法。
【発明の詳細な説明】
【技術分野】
【０００１】
本発明は、緑化システム形成に係わる植裁基盤形成体用側地とそれからなる植裁基盤形成体、植栽の形成方法に関する。
【０００２】
更に詳しくは、ビルの屋上やアスファルト路面脇、またはその他適当な場所に植物を育成させるための植裁基盤形成体に用いる側地と、それによる植栽基盤形成体および該形成体を形成させる方法に関するものである。
【背景技術】
【０００３】
近年、ヒートアイランド現象の深刻化に伴い、その対策の一環として敷地面積９，０００ｍ２以上、または建築面積３，０００ｍ２以上の特定工場には、敷地内または建造物屋上に緑化部分を作ることが義務化された。また、東京都などの都心部では工場以外の建物にも緑化の義務が課せられたことにより、緑化の需要が高まっている。
【０００４】
しかし、ビルの屋上やアスファルトの上などの直に植物が育つ環境でない場所には、植栽基盤を形成させる必要があり、建築以外に更なる手間とコストがかかることになる。
【０００５】
すなわち、建物の上に植栽基盤を作る場合、防根・防水シートを敷き、その上に培養土を敷き詰めれば植栽基盤として成り立つが、培養土のみの場合、植物が適正に育つためにはかなりの量が必要とされる。
【０００６】
例えば、一般に、芝生においては深さ約３０ｃｍの土壌が必要であり、一般的な培養土を使用した場合、重量が重く厚みのある植栽基盤となってしまう。このため、建物の耐久性を考えての建築設計や植栽基盤の軽量化設計が必要となる。更に、乾燥した培養土が風によって周囲に飛散することで環境上の問題も発生する。
【０００７】
最下部に形成された保水層と、該保水層の上面に敷設された不織布からなる透水層と、該透水層の上面に形成された客土層とを備え、該保水層は、多数の籾殻を有する植生培地構造及び緑化用マットが提案されている（特許文献１）。この提案のものは、保水層の保水量を大きくすることができ、植生の管理が容易となり、籾殻により形成される保水層は軽量であるため、植生培地構造全体を軽量化することができるものである。
【０００８】
また、保水層を使用し、該保水層を軽量化することで植栽基盤全体を軽量化する緑化システムが多く提案されている（特許文献２−４）。
【０００９】
しかし、いずれも、十分な軽量化ができていないか、あるいは軽量化できていても厚みがありすぎるのが現状である。しかも、施工できる場所が限定されることが多い。
【００１０】
また、グランドや公園などの土壌はあるが、そのままでは植物が育ちにくい土壌を緑化する場合、土を入れ替え植物の育つ土壌に改善する作業を必要とするため、かなりの労力を要していた。
【００１１】
また、先に本発明者らは、ビルの屋上、その他適当な場所に植物を植えて生育させるのに、ビルに大きな負担がかからず、施工も簡単な植栽地盤を形成する繊維構造体として、編物、織物、又は不織布で構成される筒状生地に培養土を充填して繊維構造体とし、これを渦巻き状に捲いたり、ジグザグ状として植栽地盤を形成し、その筒状生地の適宜箇所に穴を開けて、その穴に植物の苗を植付けるという、培養土を入れた繊維構造体や培養土を入れる方法を提案した（特許文献５）。しかし、この特許文献５の提案のように、穴の開いた編物、織物、または不織布の筒状の生地で、その中に培養土が充填されているものをビルの屋上等で用いることは、培養土の飛散や流出などの問題があり、実用化には適さないものであった。また、特に、芝生や背の低い草花等をある程度広い面積で全面にわたり植栽を形成したいときには、植付けのための穴を、部分、部分で必要とする特許文献５のものでは対応することができなかった。
【００１２】
このようなことから、いまだ十分に満足できる緑化システムができていないのが実状である。
【００１３】
【特許文献１】特開２００３−３２５０３７号公報
【特許文献２】特開２００２−１２５４５２号公報
【特許文献３】特開２００２−０８４８８９号公報
【特許文献４】特開２００３−２１００３４号公報
【特許文献５】特開２００５−１１０５９０号公報
【発明の開示】
【発明が解決しようとする課題】
【００１４】
本発明の目的は、上述したような点に鑑み、従来の植栽基盤形成体の問題を解決し、軽量で厚みが薄く施工場所を限定されない植栽基盤を容易に形成できる植裁基盤形成体用側地と植裁基盤形成体それらを低コストで提供すること、さらにそれらを用いた植栽の形成方法を提供することにある。
【課題を解決するための手段】
【００１５】
かかる課題を解決するために、本発明の植裁基盤形成体用側地およびそれよりなる植裁基盤形成体は、以下の（１）の構成からなるものである。
【００１６】
（１）公定水分率６％以下の合成繊維マルチフィラメント糸条を主体にして構成され、ＪＩＳ Ｌ １０１８に基づく編地の恒長式番手表示におけるカバーファクター値が９〜１４であり、かつ破裂強度が３００ｋｐａ以上の天竺組織の丸編地からなることを特徴とする植裁基盤形成体用側地。
【００１９】
また、上述した目的を達成する本発明の植裁基盤形成体は、以下の（２）の構成からなるものである。
【００２０】
（２）上記（１）に記載の植裁基盤形成体用側地に培養物を充填したことを特徴とする植裁基盤形成体。
【００２１】
また、上述した目的を達成する本発明の植栽の形成方法は、以下の（３）の構成からなるものである。
【００２２】
（３）上記（１）に記載の植裁基盤形成体用側地に培養物を充填し、ビルの屋上、アスファルト路面脇、またはその他平面上に設置して、植物を育成させるための植裁基盤体を形成し、該形成体の長さ方向の上部表面部の編目ループの間隙を通して所望する植物を植え付けることを特徴とする植裁の形成方法。
【発明の効果】
【００２３】
本発明の植裁基盤形成体用側地およびそれよりなる植裁基盤形成体を使用することで、培養物の使用量を抑えても正常に植物を育成する植栽基盤体が形成できるため、重量・厚みを減らすことができ、施工場所を限定されない植栽基盤体を低コストで容易に提供することができる。
【発明を実施するための最良の形態】
【００２４】
以下、本発明の植裁基盤形成体用側地およびそれよりなる植裁基盤形成体を、図面も含め詳細に説明する。
【００２５】
本発明の植裁基盤形成体用側地およびそれよりなる植裁基盤形成体は、公定水分率６％以下の合成繊維マルチフィラメント糸条を主体にして構成され、ＪＩＳ Ｌ １０１８に基づく編地の恒長式番手表示におけるカバーファクター値が９〜１４であり、かつ破裂強度が３００ｋｐａ以上の天竺組織の丸編地からなることが重要である。
【００２６】
本発明の植裁基盤形成体用側地とは、植物を育成するための培養物が充填できたり、あるいは包み込むことができたりする編物からなる布帛のことであり、この布帛に培養物が充填されたり包み込まれたりして、一個の植裁基盤形成体となる。
【００２７】
本発明の植裁基盤形成体用側地は、丸編地からなることが必要である。丸編地は、筒状であり、織物に比べて伸縮性も有ることから取り扱いやすく、かつ、植裁した植物の根も張りやすい。また、生産工程が短く取り扱いやすい利点がある。経編地であるトリコットやラッシェルに比べても織物と同様なことがいえる。一方、不織布に比べても伸縮性があり、かつ強度的にも優れているといえる。
【００２８】
編地は、植裁基盤形成体用側地を作製するための縫製工程の簡略化や植裁現場での取り扱い性の良さ、生産性の高さからシングル丸編地を使用することが重要であり、特に、小寸丸編機で、編機の釜径が１０インチ程度以下で作られる筒編地が好ましく、取り扱い性の点から釜径が５インチ程度以下で作られる筒編地がより好ましく使用できる。編組織は、伸縮性のバランスや生産性の高さから天竺組織を使用する。
【００２９】
また、本発明の丸編地は、ＪＩＳ Ｌ １０１８に基づく編地の恒長式番手表示におけるカバーファクター値が９〜１４であることが重要である。
【００３０】
ＪＩＳ Ｌ １０１８に基づく編地の恒長式番手表示におけるカバーファクター値とは、編地の一定面積の中で構成糸による編目ループが編地表面を占めている面積の大小を表している数値であり、この値が大きければ編目ループが小さくなることから編地表面密度が密となり、逆に値が小さければ編目ループが大きくなることから編地表面密度が粗になることを意味する。
【００３１】
このカバーファクター値は上述のように９〜１４であることが重要である。ちなみに、この範囲を大きく外れる場合、たとえば、７以下になると自然な状態においても編目の隙間が大きくなりすぎるため、側地となる編地の中に充填した培養物が流出してしまい、かつ、編地強度も弱いものとなる。あるいは、逆にたとえば、２０以上になると編目ループが十分に大きくなれず、植栽基盤上に載せた植物の根が編目ループの中に入れず、培養物の養分を吸収することができないことになる。
【００３２】
また、植物にとって大切な養分の一種である水分の保水性においても７以上にすることより培養物の保水性を程度に保持することができるが、２０以上になると透水性が悪くなることから保水性が過度になり、根腐りを起こしてしまう。
【００３３】
更に、植物には水分と同様に、空気の出入りとなる通気性も大切であり、カバーファクター値が２０以上になると通気性が劣る傾向となることから、発育不良や根腐りの原因となり、好ましくない。
【００３４】
このカバーファクター値は、前記のことから９〜１４であることが必要である。
【００３５】
カバーファクター値を最適化することにより、天竺組織の丸編地内部に充填された培養物を流出飛散させず、植物が正常に育つための水分を確保するための保水層の必要もなくなるため、重量と厚みをともに少なく最適化させることができる。
【００３６】
なお、ＪＩＳ Ｌ １０１８に基づく編地の恒長式番手表示におけるカバーファクター値は、以下によって求められる数値であり、本発明では、該カバーファクター値を求めるに際し、ｎ数は５としてその平均値を採用した。
【００３７】
まず、編目長を求める。編地の適当な区間の糸を５本ほぐし、初荷重を加えて長さを測り、次の式によって編目長（ｃｍ）を求め、その平均値を算出する。
Ｓｌ＝Ｌ／ｎ      
ここに、Ｓｌ：編目長（ｃｍ）
Ｌ ：ほぐした糸の長さ（ｃｍ）
ｎ ：ほぐした編目数
【００３８】
恒長式番手表示におけるカバーファクターは、前記の編目長及び糸の繊度（テックス）から次の式によって算出する。
Ｆｌ＝√ＮＴ／Ｓｌ
ここに、Ｆｌ：カバーファクター
Ｓｌ：編目長（ｃｍ）
ＮＴ：繊度（ｔｅｘ）
【００３９】
また、恒重式番手で表示される繊維・糸については、次の式によって繊度ＮＴ（テックス）に換算し、算出する。
綿番手は、
NT＝５９０．５／Wｃ
メートル番手は、
NT＝１０００／Wｍ
ここに、Wｃ：綿番手
Wｍ：メートル番手
【００４０】
本発明の植裁基盤形成体用側地となる天竺組織の丸編地は、ＪＩＳ Ｌ １０１８に基づく編地の破裂強度を３００ｋｐａ以上にすることが重要である。
【００４１】
この破裂強度が３００ｋｐａ未満であると、側地となる丸編地に培養物を充填するときや培養物の充填された丸編地を設置するとき、更には、設置された植裁基盤形成体の上を人が歩くときなどに、丸編地が破けるおそれがある。この破裂強度は、５００ｋｐａ以上が好ましく、７００ｋｐａ以上がより好ましい。なお、該破裂強度の測定は、ＪＩＳ Ｌ １０１８ ８．１７．１ Ａ法（ミューレン形法）で行った。また、該破裂強度の上限値は、１０００ｋｐａ程度までである。それを超えるレベルの破裂強度値は、一般には必要でないと考えられるからである。  
【００４２】
また、本発明の植裁基盤形成体用側地となる天竺組織の丸編地は、公定水分率６％以下の繊維を主体にして構成されることが重要である。
【００４３】
繊維に含まれる水分は、その日の気温、湿度等によって異なるが、最も通常に近い水分率を公定水分率として定められている。この公定水分率は、ＪＩＳ Ｌ ０１０５ ４．１の表１（繊維の公定水分率）で示される。 
【００４４】
例えば、綿の公定水分率は８．５％、毛が１５．０％、レーヨンが１１％、ナイロンが４．５％、ポリエステルが０．４％、アクリルが２．０％、金属繊維が０％等である。
【００４５】
本発明の丸編地に使用される繊維の公定水分率が６％を超える場合は、散水や雨、雪等で濡れた場合に重くなり、また乾きが遅くなるため腐りやすく、側地の自然劣化が速くなったり、カビが生えたりすることから好ましくない。５％以下がより好ましく、３％以下が更に好ましい。
【００４６】
そのような意味で、ポリエステル系合成繊維、ポリアクリル系合成繊維、ポリプロピレン系合成繊維、ポリ塩化ビニル系合成繊維、ポリ塩化ビニリデン系合成繊維等が好ましく使用することができる。
【００４７】
また、公定水分率６％以下の繊維の単独使いのみならず、該繊維と混繊、混紡、交編、引き揃え等と複合してもよいが、公定水分率６％以下の疎水性繊維を７０％以上使用することが好ましく、８０％以上使用することがより好ましく、９０％以上で使用することが更に好ましい。
【００４８】
本発明の植裁基盤形成体用側地となる天竺組織の丸編地は、合成繊維マルチフィラメント糸条を主体に構成されることも重要である。合成繊維マルチフィラメント糸条は、強度が高く、疎水性繊維が多く、かつ、取り扱いやすいからである。「主体に」とは、「５０重量％以上であること」をいう。
【００４９】
合成繊維マルチフィラメント糸条の形態としては、捲縮を持たないストレートの延伸糸や、ストレートな状態で合成繊維マルチフィラメント糸条を形成した後、熱と撚りにより捲縮が付与されることにより捲縮による嵩高性とストレッチ性を有する仮撚加工糸、更には、空気の乱流の利用で糸側面の長手方向にループ状毛羽を有する嵩高加工糸、また、異素材のフィラメントを混繊した加工糸等を使用することができ、特に限定されるものではないが、取り扱い性と植物の根の張りやさ等から、捲縮による嵩高性とストレッチ性を有する仮撚加工糸（仮撚捲縮加工糸）を使用することが好ましい。
【００５０】
合成繊維マルチフィラメント糸条の総繊度としては、７０〜１０００デシテックス程度まで幅広く使用できる。この糸の太さは、使用する編機のゲージ、目的とする編地の種類等により適宜選定すればよいが、７０デシテックス未満を使用すると丸編地の強度が弱くなり好ましくない。また、１０００デシテックスよりも大きいものを使用すると製編しずらく、編地品位が劣り、かつ、丸編地が粗硬傾向となり、後の植裁基盤形成体工事での取り扱い性が劣り好ましくない。このようなことから、１５０〜６００デシテックス程度が好ましく使用できる。
【００５１】
合成繊維マルチフィラメント糸条の単繊維繊度としては、１〜１０デシテックス程度まで幅広く使用できる。１デシテックス未満のものを使用すると、取り扱い時や植裁基盤形成体としての使用時に毛羽立ちの発生等から丸編地の強度が弱くなり好ましくない。また、１０デシテックスよりも大きいものを使用すると、前記で述べたと同様に丸編地が粗硬傾向となり、後からの植裁基盤形成体工事での取り扱い性にも劣り好ましくない。このようなことから、３〜５デシテックス程度が好ましく使用できる。
【００５２】
また、この合成繊維マルチフィラメント糸条の単独糸使いのみならず、該フィラメント糸条と半合成繊維や再生繊維、無機繊維、更には、天然繊維等と混繊、交編、引き揃え等と複合してもよいが、合成繊維マルチフィラメント糸条を７０重量％以上使用することが好ましく、８０％以上使用することがより好ましく、９０重量％以上で使用することが更に好ましい。
【００５７】
本発明の植裁基盤形成体は、前述の植裁基盤形成体用側地に培養物が充填されて形成されることが必要である。
【００５８】
すなわち、植栽基盤形成体用側地である筒編状丸編地に培養物を充填し植裁基盤形成体を形成させるものである。それをモデル図で示すと、図１の植裁基盤形成体用側地２に培養物１を充填して、図２のような円筒状の植裁基盤形成体とする。ここで筒編状丸編地に培養物を充填させる方法は、簡易にできるものであればよく、特に限定されるものではない。
【００５９】
また、図２の植裁基盤形成体の長さＬと外径Ｄは、特に限定されるものではないが、施工現場での取り扱い性の面から、長さＬが８０ｍ以下程度、外径Ｄが２０ｃｍ以下程度にするのが好ましい。
【００６０】
充填する培養物は、養分保持率、保水性に優れたものが好ましく、赤玉土、黒土、鹿沼土等の自然土や、腐葉土、パーク堆肥、バーミキュライト、ピートモス等の人工土や、その他、オガクズ、炭、石炭の燃えカス等を場所や植物によって混合を含めて適宜使い分けて使用すればよい。
【００６１】
本発明の植裁基盤形成体は、前述の植裁基盤形成体用側地に培養物を充填し、ビルの屋上やアスファルト路面脇、またはその他の適当な場所へ任意な平面上に設置して、植物を育成させるための植裁基盤体を形成させ、該形成体の長さ方向の上部表面部の編目ループの間隙を通して目的とする植物を植え付けることが好ましい。
【００６２】
植栽基盤は、前述の培養物を充填した植裁基盤形成体４を、目的とするビルの屋上やアスファルト路面脇、またはその他の適当な場所へ任意な平面上に敷き詰めることのみで容易に形成することができる。
【００６３】
また、敷き詰め方は、植裁基盤形成体４を、図３のようにジグザグに屈曲させ四角形の植栽基盤にしたり、図４のように渦巻状に敷き円形の植栽基盤にしたりと任意な形にできるため、どのような場所にも形成できる。
【００６４】
本発明の植裁基盤形成体を使用した植栽基盤で植物を育てる方法は、図５のように培養物を充填した該構造体の高さ方向の上部に植物を載せて育てることが最も好ましい
【００６５】
上部表面に植物を乗せることで丸編地を傷つけることなく、丸編地の内部や表面に根を広げ、根付くことができる。敷き詰められた植裁基盤形成体４には、図５で示すように空気層６があるため、培養物に新しい空気が取り入れられる。また、空気層６は排水層の役割も果たすため、培養物に余分な水分が溜まらないこと、更には、丸編地の表面に広がった根は、直接空気層６に触れることになり、植物の根腐りを防ぐことができる。
【００６６】
植裁基盤形成体用側地は、天竺組織の丸編地からなるため、図６に示すようにその編目ループが略立体的な構造から、植物の根は通すが土はもらさないという特徴をもっている。更に、ループで繋がった糸が動くことができ、編目の大きさが変化することができる。
【００６７】
このことから自然な状態では、図７の７のように編目はしまっているが、植物の根ｈが入り込もうとすると、図８の７のように編目が大きくなることができ、根８が中に入ることができる。このとき、編目は自然な状態である図７の７に近づこうとするため、根８が入った状態で編目を締め付けるため、中の培養物が流出することはない。
【００６８】
植裁させる植物の種類としては、特に限定されるものではなく、コウライシバ、ノシバなどの芝類、メキシコマンネングサ、モリムラマンネングサ、サカサマンネングサ、コーラルカーペットなどのセダム類、ラベンダー、サントリナ、ローズマリーなどのハーブ類、ヘデラ類など、背丈の低いさまざまな草花を育成することができ、特に、植栽させる土地の全面に敷き詰めるように植栽を形成したい芝類や背丈の低い草花などに有効なものである。また、湖沼の水面に浮かぶ筏などの上に設置して、水性植物の植栽の形成などにも使用することができるものである。
【実施例】
【００６９】
以下、実施例に基づいてさらにくわしく説明するが、本発明はこれら実施例に限定されるものではない。
【００７０】
実施例１
ポリエステル１６７デシテックス、４８フィラメントの仮撚加工糸を使用し、釜径３．５インチ、２２ゲージの筒編機でカバーファクター値１０．２、破裂強度７７４ｋｐａの筒編地を作製し、更に、この筒編地に市販の培養土を充填して植裁基盤形成体を作製した。
ビルの屋上に防根シートを敷き、その上に該形成体を、図３に示すようにジグザグ状に屈曲して配置し、ローラーにて踏み固めた後、芝生を敷き詰めた。このとき該形成体は、図５における厚さ４が５ｃｍ、芝生高さ３が２ｃｍの合計７ｃｍと薄く、また基盤形成体と芝生を合わせた重量は５３．８ｋｇ／ｍ２  と軽かった。施工後、月4回程度の散水で芝生は枯れることなく成長し、筒編地から培養土がもれて飛散することもなかった。
【００７１】
参考例１
ポリエステル１１０デシテックス、２４フィラメントの仮撚加工糸を使用し、実施例１と同一の筒編機でカバーファクター値７．３、破裂強度３２４ｋｐａの筒編地を作製し、更に、この筒編地に市販の培養土を充填して植裁基盤形成体を作製した。
実施例１と同様に、ビルの屋上に防根シートを敷き、その上に該形成体を図３に示すようにジグザグ状に屈曲して配置し、ローラーにて踏み固めた後、芝生を敷き詰めた。このとき該形成体は、図５における厚さ４が４ｃｍ、芝生高さ３が２ｃｍの合計６ｃｍと薄く、また基盤形成体と芝生を合わせた重量は４９．７ｋｇ／ｍ2と軽かった。施工後、月4回程度の散水で芝生は枯れることなく成長し、筒編地から培養土がもれて飛散することもなかった。
【００７２】
参考例２
アクリル短繊維使いで綿番手換算３０Ｓの紡績糸を使用し、実施例１と同一の筒編機でカバーファクター値１８．６、破裂強度８８１ｋｐａの筒編地を作製し、更に、この筒編地に市販の培養土を充填して植裁基盤形成体を作製した。
幼稚園のグランドに、該形成体を図４に示すように円形状に配置し、ローラーで踏み固めた後、芝生を敷き詰めた。このとき該形成体は、図５における厚さ４が６ｃｍ、芝生高さｃが２ｃｍの合計８ｃｍと薄く、また基盤形成体と芝生を合わせた重量は６０．１ｋｇ／ｍ2と軽かった。
１７６ｍ2の植栽基盤を施工経験のない大人８人が４時間で容易に完成させることができた。施工後、月４回程度の散水で芝生は枯れることなく成長し、筒編地から培養土がもれて飛散することもなかった。
【００７３】
比較例１
ポリエステル８４デシテックス、３６フィラメントの仮撚加工糸を３．５インチ、１８ゲージの筒編機でカバーファクター値５．２、破裂強度２５４ｋｐａの筒編地を作製し、実施例１と同じように市販の培養土を充填しようとしたが、筒編地から培養土がもれたり破れたりするため、作業が困難だった。
【００７４】
更に、実施例１と同じようにビルの屋上に防根シートを敷き、その上に該形成体をジグザグ状に配置しローラーにて踏み固めた後、芝生を敷き詰めた。
施工後、月4回程度の散水をしたが芝生が枯れてしまい、培養土は筒編地から流れだしていた。
【００７５】
比較例２
ポリエステル８４デシテックス、７２フィラメントの仮撚加工糸を実施例１と同一の筒編機でカバーファクター８．５、破裂強度２７４ｋｐａの筒編地を作製し、実施例１と同じように市販の培養土を充填しようとしたが、筒編地が破れたりするため、作業が困難だった。
更に、参考例２と同じように幼稚園のグランドに、該形成体を図４に示すように円形状に配置し、ローラーにて踏み固めた後、芝生を敷き詰めた。
施工後、月４回程度の散水で芝生は枯れることはなかったが、所々筒編地が破れ培養土がもれていた。
【００７６】
比較例３
ナイロン短繊維使いで綿番手換算４０Ｓの紡績糸を使用し、比較例１と同一の筒編機でカバーファクター５．８、破裂強度５５７ｋｐａの筒編地を作製し、実施例１と同じように市販の培養土を充填しようとしたが、筒編地から培養土がもれるため、作業が困難だった。
更に、実施例１と同じようにビルに屋上に防根シートを敷き、その上に該形成体をジグザグ状に配置しローラーにて踏み固めた後、芝生を敷き詰めた。
施工後、月４回程度の散水をしたが、芝生は枯れてしまい、培養土は筒編地から流れ出していた。
【図面の簡単な説明】
【００７７】
【図１】図１は、本発明にかかる植裁基盤形成体用側地に培養物を充填する一例である。
【図２】図２は、本発明にかかる植裁基盤形成体の一例である。
【図３】図３は、本発明にかかる植裁基盤形成体をジグザグ状に設置した植栽基盤の一例である。
【図４】図４は、本発明にかかる植裁基盤形成体を渦巻状に設置した植栽基盤の一例である。
【図５】図５は、植裁基盤形成体に植物を植えた断面図の一例である。
【図６】図６は、筒編地表面の拡大図の一例である。
【図７】図７は、筒編地の自然な状態の編目の拡大図の一例である。
【図８】図８は、筒編地の編目に根が入り込んだときの編目の拡大図の一例である。
【符号の説明】
【００７８】
１  培養物
２  植裁基盤形成体用側地
３  植物層
４  植裁基盤形成体
５  植裁基盤形成体の施工用地面
６  植裁基盤形成体間の空気層
７  筒編地を構成するループ糸
８  植物の根
Ｄ  植裁基盤形成体の外径
Ｌ  植裁基盤形成体の長さ
【図１】
0004758453.tif 000002
【図２】
0004758453.tif 000003
【図３】
0004758453.tif 000004
【図４】
0004758453.tif 000005
【図５】
0004758453.tif 000006
【図６】
0004758453.tif 000007
【図７】
0004758453.tif 000008
【図８】
0004758453.tif 000009